(57)【要約】      （修正有）【課題】カバーの一部を開いた状態で電子デバイスを操作することが可能な電子デバイスシステムを提供する。【解決手段】電子デバイスシステムは、タッチ入力が可能なタッチ表示部２を備えた電子デバイス１と、電子デバイス１に装着可能な電子デバイス用カバー５とを含む。電子デバイス用カバー５は、タッチ表示部２の全面又は一部を覆う閉じた状態と、タッチ表示部２の全面又は一部を露出させる開いた状態とで開閉可能に構成される。電子デバイス１の検出手段３は、タッチ表示部２の全面又は一部が開いているか、閉じているを検出する。電子デバイス１の制御手段４は、検出手段３がタッチ表示部２の一部が開いていることを検出した場合に、露出するタッチ表示部２の一部をアクティブに、タッチ表示部２の一部が閉じていることを検出した場合に、覆われたタッチ表示部２の一部を非アクティブにする。【選択図】図１
2017117326.tif 000002
【特許請求の範囲】
【請求項１】
少なくとも一方の面側にタッチ入力が可能なタッチ表示部を備えた電子デバイスと、前記電子デバイスに装着可能に構成された電子デバイス用カバーと、を含む電子デバイスシステムであって、
前記電子デバイス用カバーは、
前記タッチ表示部の全面又は一部を覆う閉じた状態と、前記タッチ表示部の全面又は一部を露出させる開いた状態とで開閉可能に構成されており、
前記電子デバイスは、
前記タッチ表示部の全面又は一部が開いていること、及び／又は、前記タッチ表示部の全面又は一部が閉じていることを検出するための検出手段と、
前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御手段と、
を備えたことを特徴とする電子デバイスシステム。
【請求項２】
前記電子デバイス用カバーは、
１又は複数のヒンジ部を備え、当該１又は複数のヒンジ部を軸にして折り曲げ可能に形成されており、当該ヒンジ部で折り曲げることにより、前記タッチ表示部の一部を覆う閉じた状態と、前記タッチ表示部の一部を露出させる開いた状態とを保持することを特徴とする請求項１に記載の電子デバイスシステム。
【請求項３】
前記制御手段は、前記検出手段で前記タッチ表示部の一部が開いていることを検出した場合、及び／又は、前記検出手段で前記タッチ表示部の一部が閉じていることを検出した場合には、露出する前記タッチ表示部の一部に、前記タッチ表示部の全画面に表示される表示情報の全部を縮小して縮小表示することを特徴とする請求項１又２に記載の電子デバイスシステム。
【請求項４】
前記制御手段は、前記タッチ表示部の露出する部分の大きさに応じて、前記縮小表示する場合の縮小率を変更することを特徴とする請求項３に記載の電子デバイスシステム。
【請求項５】
前記制御手段は、前記表示部の画面と同じアスペクト比で前記縮小表示を行うことを特徴とする請求項３又は４に記載の電子デバイスシステム。
【請求項６】
少なくとも一方の面側にタッチ入力が可能なタッチ表示部を備え、前記タッチ表示部の全面又は一部を覆う閉じた状態と、前記タッチ表示部の全面又は一部を露出させる開いた状態とで開閉可能に構成された電子デバイス用カバーを装着可能な電子デバイスであって、
前記タッチ表示部の全面又は一部が開いていること、及び／又は、前記タッチ表示部の全面又は一部が閉じていることを検出するための検出手段と、
前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御手段と、
を備えたことを特徴とする電子デバイス。
【請求項７】
前記制御手段は、前記検出手段で前記タッチ表示部の一部が開いていることを検出した場合、及び／又は、前記検出手段で前記タッチ表示部の一部が閉じていることを検出した場合には、露出する前記タッチ表示部の一部に、前記タッチ表示部の全画面に表示される表示情報の全部を縮小して縮小表示することを特徴とする請求項６に記載の電子デバイス。
【請求項８】
前記制御手段は、前記タッチ表示部の露出する部分の大きさに応じて、前記縮小表示する場合の縮小率を変更することを特徴とする請求項７に記載の電子デバイス。
【請求項９】
前記制御手段は、前記タッチ表示部の画面と同じアスペクト比で前記縮小表示を行うことを特徴とする請求項７又は８に記載の電子デバイス。
【請求項１０】
少なくとも一方の面側にタッチ入力が可能なタッチ表示部を備え、前記タッチ表示部の全面又は一部を覆う閉じた状態と、前記タッチ表示部の全面又は一部を露出させる開いた状態とで開閉可能に構成された電子デバイス用カバーを装着可能な電子デバイスに搭載されるプログラムであって、
前記タッチ表示部の全面又は一部が開いていること、及び／又は、前記タッチ表示部の全面又は一部が閉じていることを検出するための検出工程と、
前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御工程と、
をコンピュータに実行させることを特徴とするコンピュータが実行可能なプログラム。
【発明の詳細な説明】
【技術分野】
【０００１】
本発明は、電子デバイスシステム、電子デバイス、及びコンピュータが実行可能なプログラムに関する。
【背景技術】
【０００２】
近時、スマートフォンやタブレットＰＣ等の電子デバイスに装着して保護するためのカバーが普及している。ユーザが電子デバイスを使用する場合は、カバーを開いて表示部を露出させ、ユーザが電子デバイスを使用しない場合は、カバーを閉じて表示部を覆って保護するのが一般的である。
【０００３】
しかしながら、カバーの全部を開いて表示部の全体を露出させないと電子デバイスを使用することができない。ユーザによっては、カバーを把持しながらカバーの一部を開いた状態で電子デバイスを操作したい場合もある。
【先行技術文献】
【特許文献】
【０００４】
【特許文献１】特許第５１３３３７２号
【発明の概要】
【発明が解決しようとする課題】
【０００５】
本発明は、上記に鑑みてなされたものであって、例えば、カバーの一部を開いた状態で電子デバイスを操作することが可能な電子デバイスシステム、電子デバイス、及びコンピュータが実行可能なプログラムを提供することを目的とする。
【課題を解決するための手段】
【０００６】
上述した課題を解決し、目的を達成するために、本発明は、少なくとも一方の面側にタッチ入力が可能なタッチ表示部を備えた電子デバイスと、前記電子デバイスに装着可能に構成された電子デバイス用カバーと、を含む電子デバイスシステムであって、前記電子デバイス用カバーは、前記タッチ表示部の全面又は一部を覆う閉じた状態と、前記タッチ表示部の全面又は一部を露出させる開いた状態とで開閉可能に構成されており、前記電子デバイスは、前記タッチ表示部の全面又は一部が開いていること、及び／又は、前記タッチ表示部の全面又は一部が閉じていることを検出するための検出手段と、前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御手段と、を備えたことを特徴とする。
【０００７】
また、本実施の形態によれば、前記電子デバイス用カバーは、１又は複数のヒンジ部を備え、当該１又は複数のヒンジ部を軸にして折り曲げ可能に形成されており、当該ヒンジ部で折り曲げることにより、前記タッチ表示部の一部を覆う閉じた状態と、前記タッチ表示部の一部を露出させる開いた状態とを保持することが望ましい。
【０００８】
また、本実施の形態によれば、前記制御手段は、前記検出手段で前記タッチ表示部の一部が開いていることを検出した場合、及び／又は、前記検出手段で前記タッチ表示部の一部が閉じていることを検出した場合には、露出する前記タッチ表示部の一部に、前記タッチ表示部の全画面に表示される表示情報の全部を縮小して縮小表示することが望ましい。
【０００９】
また、本実施の形態によれば、前記制御手段は、前記タッチ表示部の露出する部分の大きさに応じて、前記縮小表示する場合の縮小率を変更することが望ましい。
【００１０】
また、本実施の形態によれば、前記制御手段は、前記表示部の画面と同じアスペクト比で前記縮小表示を行うことが望ましい。
【００１１】
また、本実施の形態によれば、少なくとも一方の面側にタッチ入力が可能なタッチ表示部を備え、前記タッチ表示部の全面又は一部を覆う閉じた状態と、前記タッチ表示部の全面又は一部を露出させる開いた状態とで開閉可能に構成された電子デバイス用カバーを装着可能な電子デバイスであって、前記タッチ表示部の全面又は一部が開いていること、及び／又は、前記タッチ表示部の全面又は一部が閉じていることを検出するための検出手段と、前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御手段と、を備えている。
【００１２】
また、本実施の形態によれば、前記制御手段は、前記検出手段で前記タッチ表示部の一部が開いていることを検出した場合、及び／又は、前記検出手段で前記タッチ表示部の一部が閉じていることを検出した場合には、露出する前記タッチ表示部の一部に、前記タッチ表示部の全画面に表示される表示情報の全部を縮小して縮小表示することが望ましい。
【００１３】
また、本実施の形態によれば、前記制御手段は、前記タッチ表示部の露出する部分の大きさに応じて、前記縮小表示する場合の縮小率を変更することが望ましい。
【００１４】
また、本実施の形態によれば、前記制御手段は、前記タッチ表示部の画面と同じアスペクト比で前記縮小表示を行うことが望ましい。
【００１５】
また、上述した課題を解決し、目的を達成するために、本発明は、少なくとも一方の面側にタッチ入力が可能なタッチ表示部を備え、前記タッチ表示部の全面又は一部を覆う閉じた状態と、前記タッチ表示部の全面又は一部を露出させる開いた状態とで開閉可能に構成された電子デバイス用カバーを装着可能な電子デバイスに搭載されるプログラムであって、前記タッチ表示部の全面又は一部が開いていること、及び／又は、前記タッチ表示部の全面又は一部が閉じていることを検出するための検出工程と、前記検出手段で前記タッチ表示部の一部が開いていることを検出した場合に、露出する前記タッチ表示部の一部をアクティブに、及び／又は、前記検出手段で前記タッチ表示部の一部が閉じていることを検出した場合に、覆われた前記タッチ表示部の一部を非アクティブにする制御工程と、をコンピュータに実行させることを特徴とする。
【発明の効果】
【００１６】
本発明によれば、カバーの一部を開いた状態で、電子デバイスを操作することが可能になるという効果を奏する。
【図面の簡単な説明】
【００１７】
【図１】図１は、実施の形態に係る電子デバイスシステムの模式図である。
【図２】図２は、タッチ表示部に表示される表示情報の表示例を示す図である。
【図３】図３は、タッチ表示部に表示される表示情報の表示例を示す図である。
【図４】図４は、タッチ表示部に表示される表示情報の表示例を示す図である。
【図５−Ａ】図５−Ａは、実施例に係るタブレットＰＣの平面図である。
【図５−Ｂ】図５−Ｂは、実施例に係るタブレットＰＣの底面図である。
【図６−Ａ】図６−Ａは、実施例に係るタブレットＰＣ用カバーの平面図である。
【図６−Ｂ】図６−Ｂは、図６−Ａの概略のＡ−Ａ断面を示す図である。
【図７−Ａ】図７−Ａは、実施例に係るタブレットＰＣに、実施例に係るタブレットＰＣ用カバーを装着した状態を示す図である（カバーを開いた状態）。
【図７−Ｂ】図７−Ｂは、実施例に係るタブレットＰＣに、実施例に係るタブレットＰＣ用カバーを装着した状態を示す図である（カバーの全部を閉じた状態）。
【図７−Ｃ】図７−Ｃは、実施例に係るタブレットＰＣに、実施例に係るタブレットＰＣ用カバーを装着した状態を示す図である（カバーの一部を閉じた状態）。
【図７−Ｄ】図７−Ｄは、実施例に係るタブレットＰＣに、実施例に係るタブレットＰＣ用カバーを装着した状態を示す図である（カバーの一部を閉じた状態）。
【図８】図８は、実施例に係るタブレットＰＣの概略のハードウェア構成例を示す図である。
【発明を実施するための形態】
【００１８】
以下、本実施の形態に係る電子デバイスシステム、電子デバイス、及びコンピュータが実行可能なプログラムの実施の形態について説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００１９】
（実施の形態）
図１は、実施の形態に係る電子デバイスシステムの模式図である。図１に示すように、実施の形態に係る電子デバイスシステムは、電子デバイス１と、電子デバイス１に装着可能に構成された電子デバイス用カバー５とを備えている。電子デバイス１は、例えば、少なくとも一方の面側にタッチ入力が可能なタッチ表示部を備えたスマートフォン、タブレットＰＣ、電子ブック、及びゲーム端末等の電子デバイスである。
【００２０】
電子デバイス用カバー５は、電子デバイス１に回転可能に連結される連結部７と、連結部７に接続して、タッチ表示部２の全面又は一部を覆う閉じた状態と、タッチ表示部２の全面又は一部を露出させる開いた状態とで開閉可能に構成されたカバー部６と、を備えている。カバー部６を閉じた際にタッチ表示部２と対向する面を裏面５Ｂ、裏面５Ｂと反対側の面を表面５Ａと称する。
【００２１】
カバー部６は、１又は複数のヒンジ部を備えており、１又は複数のヒンジ部を軸として略３６０度を折り曲げ可能（回転可能）に構成されている。カバー部６は、１又は複数のヒンジ部を軸として折り曲げることにより、タッチ表示部２の一部を覆う閉じた状態と、タッチ表示部２の一部を露出させる開いた状態とを保持することができる。図１に示す例では、カバー部６は、２つのヒンジ部（折り線）８Ａ、８Ｂを備え、当該ヒンジ部８Ａ、８Ｂを軸として略３６０度を折り曲げ可能に構成されている。なお、図１に示す例では、ヒンジ部は縦方向に形成されているが、斜め方向に形成して、斜め方向に折り曲げ可能な構成としてもよい。
【００２２】
電子デバイス１は、前面側に設けられたタッチ表示部２と、タッチ表示部２の全面又は一部の開閉を検出するための検出手段３と、検出手段３でタッチ表示部２の一部が開いていることを検出した場合に、露出するタッチ表示部２の一部をアクティブ（操作可能状態）に、及び／又は、検出手段３でタッチ表示部２の一部が閉じていることを検出した場合に、覆われたタッチ表示部２の一部を非アクティブにする制御手段４と、を備えている。
【００２３】
タッチ表示部２は、例えば、ＬＣＤ，有機ＥＬデバイス等の表示デバイスとタッチセンサ等のタッチ入力デバイスとで構成されたタッチパネルで構成することができる。
【００２４】
検出手段３及び制御手段４は、ハードウェアやソフトウェア（Ｗｉｎｄｏｗｓ（登録商標）、ｉＯＳ（登録商標）、Ａｎｄｒｏｉｄ（登録商標）等のＯＳ、ＡＰＩ、サービス、ユーティリティ、ライブラリ、ドライバ、及びアプリケーション等のプログラム）のモジュール、又は、その組み合わせで構成することができる。
【００２５】
制御手段４は、電子デバイス１の全体を制御すると共に、タッチ表示部２の表示及びタッチ入力を制御する。制御手段４は、レジューム機能を備えており、前回の電子デバイス１の状態（表示情報を含む）を復帰させる。制御手段４は、検出手段３でタッチ表示部２の全面が開いていることを検出した場合には、露出するタッチ表示部２の全面をアクティブとする。また、制御手段４は、検出手段３でタッチ表示部２の一部が開いていることを検出した場合には、露出するタッチ表示部２の一部をアクティブとする。なお、制御手段１は、タッチ表示部２の全面又は一部をアクティブとする場合は、ユーザによる所定の操作（例えば、ボタンの操作）が行われた後にアクティブとすることにしてもよい。
【００２６】
また、制御手段４は、検出手段３でタッチ表示部２の全面が閉じていることを検出した場合には、当該タッチ表示部２の全面を非アクティブ（スリープ状態）とする。また、制御手段４は、検出手段３でタッチ表示部２の一部が閉じていることを検出した場合には、カバー部６で覆われたタッチ表示部２の一部を非アクティブとする。
【００２７】
図１に示す例では、図１（ａ）は、カバー部６を開いた状態を示しており、タッチ表示部２はアクティブとなっており、全画面に表示情報（４×４個のアイコン）が表示されている。図１（ｂ）は、カバー部６でタッチ表示部２の全面を閉じた状態を示しており、カバー部６の全部が閉じられると、制御手段４は、タッチ表示部２の全面を非アクティブにする。図１の（ｃ）は、カバー部６を、ヒンジ部８Ｂを軸として折り曲げてタッチ表示部２の一部の領域２Ａ１を開き、タッチ表示部２の領域２Ａ１が露出した状態を示している。制御手段４は、検出手段３でタッチ表示部２の領域２Ａ１が開いたことを検出した場合は、領域２Ａ１をアクティブにする。これにより、４×４個のアイコンのうち１×４個のアイコンが表示される。ユーザは、タッチ表示部２の領域２Ａ１で操作を行うことができる。また、図１（ａ）に示すような、カバー部６を開いた状態から、図１（ｃ）に示すように、カバー部６の一部が閉じられた場合には、タッチ表示部２のカバー部６で覆われた部分（領域２Ａ１以外の部分）を非アクティブとしてもよい。
【００２８】
また、制御手段４は、検出手段３でタッチ表示部２の一部が開いたことを検出した場合、及び／又は、検出手段３でタッチ表示部２の一部が閉じたことを検出した場合は、露出しているタッチ表示部２の一部に、タッチ表示部２の全画面に表示される表示情報の全部を縮小して縮小表示することにしてもよい。また、制御手段４は、タッチ表示部２の露出する部分の大きさに応じて、縮小表示する場合の縮小率を変更することにしてもよい。さらに、制御手段４は、タッチ表示部２の画面と同じアスペクト比で縮小表示を行うことにしてもよい。
【００２９】
図２〜図４は、制御部４により、タッチ表示部２に表示される表示情報の表示例を示す図である。図２に示す表示例は、タッチ表示部２の全画面に表示される表示情報のうち、露出している部分だけを表示したものである。図２（ａ）は、カバー部６を、ヒンジ部８Ｂを軸として折り曲げた状態を示しており、タッチ表示部２の露出している領域２Ａ１に表示情報（１×４個のアイコン）を表示している。図２（ｂ）は、カバー部６をヒンジ部８Ａで折り曲げた状態を示しており、タッチ表示部２の露出している領域２Ａ２に表示情報（３×４個のアイコン）を表示している。
【００３０】
図３に示す表示例は、露出するタッチ表示部２の一部に、タッチ表示部２の全画面に表示される表示情報の全部（４×４個のアイコン）を、表示方向と直交する方向に縮小して表示する場合を示している。図３では、表示方向が縦方向となっているので、横方向に縮小して表示されている。また、タッチ表示部２の露出する部分の大きさ応じて縮小率が変更されており、図３（ａ）は横方向に略１／３に縮小、図３（ｂ）は横方向に略２／３に縮小されている。ユーザは、タッチ表示部２の全画面を操作する場合と同様な操作を、小さな画面で行うことが可能となる。なお、横方向表示の場合は、縦方向に縮小して表示することにしてもよい。
【００３１】
図４に示す表示例は、露出するタッチ表示部２の一部に、タッチ表示部２の全画面に表示される表示情報の全部（４×４個のアイコン）を、タッチ表示部２の画面と同じアスペクト比で縮小表示を行う場合を示している。また、タッチ表示部２の露出する部分の大きさに応じて縮小率が変更されており、図４（ａ）は表示画面が略１／３に縮小、図４（ｂ）は表示画面が略２／３に縮小されている。なお、タッチ表示部２の表示情報が表示されない領域（黒ベタで示されている領域）のタッチ入力を無効としてもよい。ユーザは、タッチ表示部２の全画面を操作する場合と同様な操作を、同じアスペクト比の小さな画面で行うことが可能となる。
【００３２】
電子デバイス用カバー５のカバー部６の全部又は一部の開閉を検出する方法としては、例えば、以下の方法が考えられる。（１）電子デバイス用カバー５のカバー部６のヒンジ部８Ａ、８Ｂで区画される３つの領域にそれぞれマグネットを配置すると共に、カバー部６の全部を閉じた際の当該マグネットの位置に対応する、電子デバイス１の位置にそれぞれホール素子を設け、検出手段３は、各ホール素子で磁力の変化を検出することにより、カバー部６の３つの領域の開閉をそれぞれ検出してもよい。（２）カバー部６の全部を閉じた際の当該３つの領域に対応する、電子デバイス１の位置にそれぞれＡＬＳセンサを設け、検出手段３は、各ＡＬＳセンサで明るさを検出することにより、カバー部６の３つの領域の開閉をそれぞれ検出してもよい。
【００３３】
本実施の形態に係る電子デバイスシステムによれば、電子デバイス用カバー５は、タッチ表示部２の全面又は一部を覆う閉じた状態と、タッチ表示部２の全面又は一部を露出させる開いた状態とで開閉可能に構成されており、電子デバイス１は、タッチ表示部２の全面又は一部が開いていること、及び／又は、タッチ表示部２の全面又は一部が閉じていることを検出するための検出手段３と、検出手段３でタッチ表示部２の一部が開いていることを検出した場合に、露出するタッチ表示部２の一部をアクティブに、及び／又は、検出手段３でタッチ表示部２の一部が閉じていることを検出した場合に、覆われたタッチ表示部２の一部を非アクティブにする制御手段４と、を備えているので、電子デバイス用カバー５の一部を開いた状態で、電子デバイス１を使用することが可能になるという効果を奏する。
【００３４】
（実施例）
図５−Ａ〜図８を参照して、上記実施の形態に係る電子デバイスシステムを、タブレットＰＣシステムに適用した場合の一実施例を説明する。図５−Ａは、実施例に係るタブレットＰＣ１０の平面図、図５−Ｂは、実施例に係るタブレットＰＣ１０の底面図、図６−Ａは、実施例に係るタブレットＰＣ用カバー２０の平面図、図６−Ｂは、図６−Ａの概略のＡ−Ａ断面を示す図である。タブレットＰＣ用カバー２０は、タブレットＰＣ１０に対して着脱可能に構成されている。
【００３５】
図５−Ａ及び図５−Ｂにおいて、タブレットＰＣ１０は、前面１１ａと、背面１１ｂと、長手方向の一対の側面１１ｃ、１１ｄと、短手方向の一対の側面１１ｅ，１１ｆを有する平面視略矩形形状の筐体１１を備えている。筐体１１は、例えば合成樹脂やアルミ等の金属で構成することができる。筐体１１の前面１１ａには、タッチ表示部１２が配置されている。タッチ表示部１２は、表示部１３と、表示部１３上に配置されたタッチセンサ１４とで構成されている。表示部１３には各種情報が表示される。タッチセンサ１４は、複数本の指を同時に検出可能なマルチタッチパッドであり、例えば、静電容量式のタッチセンサで構成され、タッチ位置（Ｘ，Ｙ）を検出可能な構成となっている。筐体１１の内部には、電子部品が搭載された回路基板や電源回路（バッテリ）等が収納されている。    
【００３６】
側面１１ｃには、タブレットＰＣ用カバー２０を装着するための一対の嵌合溝１８が配置されており、側面１１ｄには、電源ボタン（不図示）やボリュームボタン（不図示）等が配置されている。
【００３７】
筐体１１の背面１１ｂの左上隅表面には、カメラ１５が配置されている。また、筐体１１の内部には、タブレットＰＣ用カバー２０のカバー部２２の第１〜第３の領域２４Ａ１〜２４Ａ３（図６−Ａ参照）の開いた状態（オープン）／閉じた状態（クローズ）をそれぞれ検出するための第１〜第３のホールセンサ１６Ａ１〜１６Ａ３が配置されている。タッチ表示部１２において、タブレットＰＣ用カバー２０のカバー部２２の第１の領域２４Ａ１〜第３の領域２４Ａ２に対応する領域を第１〜第３の表示エリア１２Ａ１〜１２Ａ３と称する。
【００３８】
図６−Ａ及び図６−Ｂにおいて、タブレットＰＣ用カバー２０は、表面２０Ａと、裏面２０Ｂとを有し、平面視略矩形形状を呈している。タブレットＰＣ用カバー２０は、ＰＣ用カバー２０をタブレットＰＣ１０の側面１１ｃに固定するための装着部２１と、装着部２１（タブレットＰＣ１０）に対して第１のヒンジ部２２Ａにより折り曲げ可能（回転可能）に構成され、タブレットＰＣ１０の前面１１ａと背面１１ｂを選択的に覆うことが可能なカバー部２２とを備えている。
【００３９】
装着部２１は、タブレットＰＣ１０の側面１１ｃの一対の嵌合溝１８と嵌合可能な一対の凸部２１Ａを備えている。ユーザは、タブレットＰＣ用カバー２０の装着部２１の一対の凸部２１Ａを、タブレットＰＣ１０の側面１１ｃの一対の嵌合溝１８に嵌合させることにより、タブレットＰＣ用カバー２０をタブレットＰＣ１０に固定することができる。  
【００４０】
また、カバー部２２は、第２のヒンジ部２２Ｂと第３のヒンジ部２２Ｃとを備えている。カバー部２２において、第１〜第３のヒンジ部２２Ａ〜２２Ｃで区画される領域をそれぞれ第１〜第３の領域２４Ａ１〜２２Ａ３と称する。また、カバー部２２は、第１〜第３の領域２４Ａ１〜２４Ａ３にそれぞれ、第１〜第３の領域２４Ａ１〜２４Ａ３の開閉を検出するための第１〜第３のマグネット２５Ａ１〜２５Ａ３を内蔵している。
【００４１】
第１〜第３のマグネット２５Ａ１〜２５Ａ３は、カバー部２２がタブレットＰＣ１０の前面１１ａを覆った状態（閉じた状態）において、タブレットＰＣ１０の第１〜第３のホールセンサ１６Ａ１〜１６Ａ３とそれぞれ対応する位置に配置されている。
【００４２】
カバー部２２の第１〜第３の領域２４Ａ１〜２４Ａ３がそれぞれ開いた状態では、第１〜第３のマグネット２５Ａ１〜２５Ａ３は、タブレットＰＣ１０の第１〜第３のホールセンサ１６Ａ１〜１６Ａ３と離れた位置にある。他方、カバー部２２の第１〜第３の領域２４Ａ１〜２４Ａ３がそれぞれ閉じた状態では、第１〜第３のマグネット２５Ａ１〜２５Ａ３は、第１〜第３のホールセンサ１６Ａ１〜１６Ａ３と近接した位置にある。第１〜第３のホールセンサ１６Ａ１〜１６Ａ３はそれぞれ、第１〜第３のマグネット２５Ａ１〜２５Ａ３からの磁力を感知することにより、第１〜第３のマグネット２７５１〜２７５３が自らに接近しているか否かを検出することができ、そこから第１〜第３の領域２４Ａ１〜２４Ａ３が開いた状態か閉じた状態かを検出することができる。
【００４３】
図６−Ｂに示すように、カバー部２２は、折り曲げ等が可能な弾性のあるカバー材料２５で構成することができる。カバー材料２５は、例えば、皮、合皮、布、ラバー材料、樹脂等である。カバー材料２５の一部分には、タブレットＰＣ１０に対する保護強度を向上させるために補強板２６が配設されている。補強板２６は、例えば、ガラスエポキシ板等を使用することができる。補強板２６が配設されていない部分である第１〜第３のヒンジ部２２Ａ〜２２Ｃは折り曲げが可能となっている。
【００４４】
図７−Ａ〜図７−Ｃは、タブレットＰＣ１０にタブレットＰＣ用カバー２０を装着した状態を示している。図７−Ａは、タブレットＰＣ用カバー２０のカバー部２２の全体を開いた状態を示している。タブレットＰＣ１０は、カバー部２２の第１の領域〜第３の領域２４Ａ１〜２４Ａ３が開いたことを検出すると、タッチ表示部１２の第１〜第３の表示エリア１２Ａ１〜１２Ａ３をアクティブとする。ユーザはタッチ表示部１２の全画面を使用して操作を行うことができる。
【００４５】
図７−Ｂは、図７−Ａの状態からタブレットＰＣ用カバー２０の第１のヒンジ部２２Ａでカバー部２２を１８０度回転させて、タブレットＰＣ１０の第１の面１１ａの全体を覆った状態（閉じた状態）を示している。タブレットＰＣ１０は、カバー部２２の全体が閉じられると、タッチ表示部１２の全面（第１〜第３の表示エリア１２Ａ１〜１２Ａ３）を非アクティブとする。
【００４６】
図７−Ｃは、図７−Ｂの状態から第３のヒンジ部２２Ｃで折り曲げられて、第３の領域２４Ａ３が開いた状態を示している。タブレットＰＣ１０は、第３の領域２４Ａ３が開いたことを検出すると、タッチ表示部１２の第３の表示エリア１２Ａ３をアクティブとする。ユーザは、例えば、タブレットＰＣ用カバー２０の第３の領域２４Ａ３を把持しながら、タッチ表示部１２の第３の表示エリア１２Ａ３で操作を行うことができる。
【００４７】
図７−Ｄは、図７−Ｃの状態からカバー部２２が第２のヒンジ部２２Ｂで折り曲げられて、第２及び第３の領域２４Ａ２、２４Ａ３が開いた状態を示している。タブレットＰＣ１０は、第１の領域及び第２の領域２４Ａ２、２４Ａ３が開いたことを検出すると、タッチ表示部１２の第２及び第３の表示エリア１２Ａ２，１２Ａ３をアクティブとする。ユーザは、例えば、タブレットＰＣ用カバー２０の第２の領域２４Ａ２を把持しながら、タッチ表示部１２の第２及び第３の表示エリア１２Ａ２，１２Ａ３で操作を行うことができる。
【００４８】
図８は、上記タブレットＰＣ１０の概略のハードウェア構成例を示す図である。タブレットＰＣ１０は、同図に示すように、制御部１０１、メモリ１１１、ストレージ１１２、タッチ表示部１２、カメラ１５、第１〜第３のホールセンサ１６Ａ１〜１６Ａ３、通信部１１３、電源部１１４、表示コントローラ１１５、及びタッチセンサコントローラ１１６
を備えている。    
【００４９】
タッチ表示部１２は、表示部１３と、表示部１３に重畳されたタッチセンサ１４とを有する。タッチセンサ１４は、指やペン等の指示体を用いてタッチセンサ１４に対して行われた各種操作を、操作が行われた場所のタッチセンサ１４上での位置とともに検出し、制御部１０１に通知する。タッチセンサ１４によって検出される操作には、タッチ操作、スライド操作、及びピッチ操作が含まれる。表示部１３は、例えば、液晶ディスプレイ（ＬＣＤ：Liquid  Crystal  Display）や有機ＥＬ（Organic  Electro−Luminescence）パネルなどで構成され、制御部１０１の制御に従って文字や図形等を表示する。    
【００５０】
第１〜第３のホールセンサ１６Ａ１〜１６Ａ３は、タブレットＰＣ用カバー２０のカバー部２２の第１〜第３のマグネット２５Ａ１〜２５Ａ３からの磁力を検出して、その検出結果を制御部１０１に出力する。
【００５１】
メモリ１１１は、例えば、ＲＡＭやＤＲＡＭ等で構成されており、制御部１０１によって実行されるプログラム、制御部１０１が参照するデータ、制御部１０１の演算結果等が一時的に記憶されるワークエリアとして使用される。
【００５２】
ストレージ１１２は、制御部１０１によって実行されるプログラムやデータを保持するコンピュータで読み取り可能な記憶媒体であり、ＨＤＤ、ＥＥＰＲＯＭ、及びＳＳＤ等の不揮発性メモリである。ストレージ１１２には、例えば、タブレットＰＣ１０の全体の制御を行うためのＯＳ、周辺機器類をハードウェア操作するための各種ハードウェア・ドライバ、カメラ機能を実現するためのカメラ・アプリケーション、特定業務に向けられた、ブラウザアプリケーション、電子メールアプリ、動画再生アプリ、表計算アプリ、及びワープロアプリ等の他のアプリケーション（不図示）等を記憶する機能を有する。  
【００５３】
通信部１１３は、制御部１０１の制御に従って、各種ネットワークを介して無線及び／又は有線で通信を行う。
【００５４】
電源部１１４は、ＡＣアダプタ、バッテリ１１４Ａ、バッテリ１１４Ａを充電するための充電回路、及びＤＣ／ＤＣコンバータ等を備えている。電源部１１４は、制御部１１１の制御に従って、バッテリ１１４Ａ又はＡＣアダプタから得られる電力を各部に供給する。また、電源部１１４は、制御部１０１の制御に従って、充電用デバイス又はＡＣアダプタから入力される電力を使用して、バッテリ１１４Ａの充電を行う。  
【００５５】
カメラ１５は、レンズと、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子と、ＲＧＢカラーフィルタと、及び信号処理回路等を備えており、レンズで撮像した被写体光をＲ，Ｇ，Ｂのアナログ画像信号に変換した後、Ｒ，Ｇ，Ｂのデジタル画像信号に変換して制御部１０１に出力する。  
【００５６】
表示コントローラ１１５は、制御部１０１の制御に従って、表示部１３の表示動作を制御して表示情報を表示する。タッチセンサコントローラ１１６は、制御部１０１の制御に従って、タッチセンサ１４のタッチ入力を制御する。
【００５７】
制御部１０１は、例えば、ＣＰＵ（Central  Processing  Unit）、マイクロプロセッサ、ＤＳＰ等であり、タブレットＰＣ１０の動作を統括的に制御して各種の機能を実現する。具体的には、制御部１０１は、ストレージ１１２に記憶されているデータやメモリ１１１に展開したデータを必要に応じて参照しつつ、ストレージ１１２に記憶されているプログラムに含まれる命令を実行して、入力機能、画面表示機能、通信機能、メール機能、及びＷｅｂブラウジング機能等の各種機能を実現する。また、制御部１０１は、タッチ表示部１２に対して省エネ制御を実行し、例えば、タッチ表示部１２に対して所定期間入力操作が行われない場合や、タッチ表示部１２がタブレットＰＣ用カバー２０のカバー部２２が閉じられた場合等には、非アクティブとする。また、制御部１０１は、タブレットＰＣ１０の前回の状態（表示情報を含む）を復帰させるレジューム機能を有する。
【００５８】
また、制御部１０１は、第１〜第３のホールセンサ１６Ａ１〜１６Ａ３の検出結果に基づいて、タブレットＰＣ用カバー２０のカバー部２２の第１〜第３の領域２４Ａ１〜Ａ３の開いた状態／閉じた状態を判断し、開いた状態と判断した領域に対応するタッチ表示部１２の表示エリアをアクティブとし、閉じた状態と判断した領域に対応するタッチ表示部１２の表示エリアを非アクティブとする。すなわち、制御部１０１は、第１〜第３の表示エリア１２Ａ１〜１２Ａ３のうち露出している表示エリアをアクティブとして、表示情報を表示する。制御部１０１は、タッチ表示部１２の一部の表示エリアだけが露出している場合は、タッチ表示部２の全画面に表示される表示情報のうち、露出している部分だけを表示してもよく、また、表示情報の全部を縦方向及び／又は横方向に縮小して表示することにしてもよい。
【００５９】
なお、上記実施例では、電子デバイスとして、タブレットＰＣについて説明したが、本発明はこれに限られるものではなく、例えば、スマートフォンやＰＤＡ等の電子デバイスに適用可能である。また、電子デバイス用カバーの形状は上記実施例に限られるものではなく、各種形状のカバーに適用可能である。また、窓部の形状及び数は上記実施例に限られるものではない。
【符号の説明】
【００６０】
１  電子デバイス
２  タッチ表示部
３  検出手段
４  制御手段
５  電子デバイス用カバー
６  カバー部
７  連結部
８Ａ、８Ｂ  ヒンジ部
１０  タブレットＰＣ
１１  筐体
１２  タッチ表示部
１３  表示部
１４  タッチセンサ
１５  カメラ
１６Ａ１〜Ａ３  第１〜第３のホールセンサ
１８  嵌合溝
２０  タブレットＰＣ用カバー
２１  装着部
２１Ａ  凸部
２２  カバー部
２２Ａ〜２２Ｃ  ヒンジ部
２４Ａ１〜Ａ３  第１〜第３の領域
２５Ａ１〜Ａ３  第１〜第３のマグネット
２５  カバー材料
２６  補強板
１０１  制御部
１１１  メモリ
１１２  ストレージ
１１３  通信部
１１４  電源部
１１４ａ  バッテリ
１１５  表示コントローラ
１１６  タッチセンサコントローラ
【図１】
2017117326.tif 000003
【図２】
2017117326.tif 000004
【図３】
2017117326.tif 000005
【図４】
2017117326.tif 000006
【図５−Ａ】
2017117326.tif 000007
【図５−Ｂ】
2017117326.tif 000008
【図６−Ａ】
2017117326.tif 000009
【図６−Ｂ】
2017117326.tif 000010
【図７−Ａ】
2017117326.tif 000011
【図７−Ｂ】
2017117326.tif 000012
【図７−Ｃ】
2017117326.tif 000013
【図７−Ｄ】
2017117326.tif 000014
【図８】
2017117326.tif 000015